(57)【特許請求の範囲】
【請求項１】
情報を処理する情報処理部を有する本体部と、該本体部に対して回動軸線を中心に回動可能に支持されており、上記本体部上に倒されて閉じた状態と起こされて開いた状態とをとり、閉じた状態では上記本体部の上面に対向して隠されて、開いた状態では露出する表示面を有する表示部とを有する情報処理装置において、
電波を送受信するアンテナと該アンテナと電気的に接続してあり信号の処理を行う通信モジュールとを含む通信ユニットを、上記表示部に設けた構成とし、
上記表示部は、上記表示面とは反対側に金属製のカバーを有し、
該カバーは、切欠部を有し、
該切欠部は、該カバーのうち該回動軸線とは反対側の辺にまで到っており、該辺の部分に開放口部を有する形状を有し、
上記通信ユニットは、上記アンテナが上記切欠部に対応する配置で設けてある構成としたことを特徴とする情報処理装置。
【請求項２】
請求項１記載の情報処理装置において、
上記通信ユニットは、上記表示部のうち上記表示面とは反対側の面側に設けた構成としたことを特徴とする情報処理装置。
【請求項３】
請求項１記載の情報処理装置において、
上記通信ユニットは、上記表示部のうち上記表示面とは反対側の面側であって、且つ、上記表示部のうち上記回動軸線に沿う方向上の中央の位置に実装してある構成としたことを特徴とする情報処理装置。
【請求項４】
請求項１記載の情報処理装置において、
上記通信ユニットは、アンテナが、上記切欠部のうち上記開放口部に対応する配置で設けてある構成としたことを特徴とする情報処理装置。
【請求項５】
請求項１記載の情報処理装置において、
上記金属製のカバーに取り付けられ、上記通信ユニットを覆う合成樹脂製のカバーを有する構成としたことを特徴とする情報処理装置。
【発明の詳細な説明】
【発明の属する技術分野】
【０００１】
本発明は情報処理装置に係り、特に、電話機及び周辺機器等との無線通信機能を備えた情報処理装置に関する。
【０００２】
従来は、パーソナルコンピュータ（以下、パソコンと呼ぶ）と電話機及び周辺機器等との間はケーブルでもって接続されていた。現在、情報処理の高速化及び複雑化に対応するために、及び情報処理装置の機動性の向上を図るために、パソコンと電話機及び周辺機器等との間をケーブルを使用してつなぐ有線のシステムに替えて、無線でつなぐシステムが種々提案されており、実用化されつつある。この無線でつなぐシステムには、ブルートゥースのような短距離無線伝送技術が知られている。
【０００３】
ここで、携帯性及び外観の観点から、送信及び受信を行う無線通信機能部分は、パソコンから外に突き出ない状態で、即ち、パソコンの内部に組み込まれていることが望ましい。また、パソコンに対する電話機及び周辺機器等の位置がどのようであっても通信が確実に行われるようにするために、無線通信機能部分は、無線の送受信が何れの方向に対しても等しく行われること、即ち、全方向に対して均一の指向性を有していることが望ましい。
【従来の技術】
【０００４】
図１は従来の第１の例になる無線通信機能を備えた携帯型のパソコン１０を示す。図中、Ｘ１−Ｘ２は幅方向（操作者から見て左右方向）、Ｙ１−Ｙ２は奥行き方向、Ｚ１−Ｚ２は高さ方向である。この方向は、他の図についても同じである。パソコン１０は、本体部１１と、本体部１１に対して開閉可能である液晶表示部１２とを有する。
【０００５】
図１のパソコン１０では、通信ユニット１３が本体部１１の内部であって、Ｘ２側の部位に配置してある。通信ユニット１３は、アンテナ１４とアンテナ１４からの信号を処理する通信モジュール１５とが一体化されている構成である。通信ユニット１３は本体部１１内の主制御部１６と接続されている。
【０００６】
機械的強度上、本体部１１は、金属製のダイキャスト部品１７で構成されている。アンテナ１４からＸ１方向に放射される電波は、この金属製のダイキャスト部品１７による影響を受けにくいが、アンテナ１４からＸ２方向に放射される電波は、この金属製のダイキャスト部品１７による影響を受けて遮蔽され易く、パソコン１０のＸ２方向側の領域では、電波が弱くなってしまう。
【０００７】
よって、電話機及び周辺機器等がパソコン１０に対してＸ１方向に配置されている場合には、パソコン１０と電話機及び周辺機器等との無線通信は問題なく行われるが、電話機及び周辺機器等がパソコン１０に対してＸ２方向に配置されている場合には、パソコン１０と電話機及び周辺機器等との無線通信の信頼性に問題があった。
【０００８】
図２は従来の第２の例になる無線通信機能を備えた携帯型のパソコン２０を示す。このパソコン２０は、本体部２１と、本体部２１に対して開閉可能である液晶表示部２２とを有し、アンテナ２３が液晶表示部２２内に設けてあり、通信モジュール２４が本体部２１内に設けてあり、アンテナ２３と通信モジュール２４との間が電線２５で接続されている構成である。アンテナ２３は液晶表示部２２のうち、Ｘ１方向側の部位に設けてある。電線２５には、高周波の信号が流れる。高周波の信号が電線を流れている間に受ける減衰の程度は、低周波の信号が電線を流れている間に受ける減衰の程度に比べて大きい。また、通信モジュール２４は主制御部２６と接続されている。
【０００９】
液晶表示部２２が開かれた状態でアンテナ２３は、立った姿勢となって、且つ、本体部２１より高い位置に位置している。このため、アンテナ２３からの電波は図１のパソコン１０の場合に比べて、Ｘ１−Ｘ２方向及びＹ１−Ｙ２方向に略均一に放射される。よって、電話機及び周辺機器等のパソコン１０に対する配置についての制約は図１のパソコン１０の場合に比べて少なくなる。
【発明が解決しようとする課題】
【００１０】
しかし、通信モジュール２４は本体部２１内に設けてあるため、アンテナ２３と通信モジュール２４との間の距離は長く、アンテナ２３と通信モジュール２４との間をつなぐ電線２５の長さＬ１は長い。よって、高周波の信号が電線２５を流れる間に受ける減衰の程度が大きく、これにより、信号の品質が低下し、無線通信の信頼性の点で問題があった。
【００１１】
そこで、本発明は、上記課題を解決した情報処理装置を提供することを目的とする。
【課題を解決するための手段】
【００１２】
請求項１の発明は、情報を処理する情報処理部を有する本体部と、該本体部に対して回動軸線を中心に回動可能に支持されており、上記本体部上に倒されて閉じた状態と起こされて開いた状態とをとり、閉じた状態では上記本体部の上面に対向して隠されて、開いた状態では露出する表示面を有する表示部とを有する情報処理装置において、電波を送受信するアンテナと該アンテナと電気的に接続してあり信号の処理を行う通信モジュールとを含む通信ユニットを、上記表示部に設け、且つ、上記表示部は、上記表示面とは反対側に金属製のカバーを有し、該カバーは、切欠部を有し、該切欠部は、該カバーのうち該回動軸線とは反対側の辺にまで到っており、該辺の部分に開放口部を有する形状を有し、上記通信ユニットは、上記アンテナが上記切欠部に対応する配置で設けてある構成としたものである。
【００１３】
通信ユニットが設けられる場所が表示部であるため、表示部を開いた状態では、通信ユニットは情報処理装置のうち高い場所となる。これにより、アンテナの電波の送受信特性が優れたものとなる。
【００１４】
アンテナと通信モジュールとの間は、高周波信号が伝送される。高周波信号は伝送中に損失を受けやすい。通信ユニットは、アンテナと通信モジュールとが一体の構造であるため、アンテナと通信モジュールとの間をつなぐケーブルの長さが短くて足り、高周波信号の伝送中の損失が抑えられる。通信の信頼性が向上する。
【００１５】
金属製のカバーは、表示部の機械的強度を高めている。金属製のカバーは電波の伝播を妨げてアンテナの送受信特性を損ねるけれども、アンテナに対応する場所には切欠部が形成されているため、アンテナの送受信特性が損なわれることを防止することが可能となる。
【００１６】
開放口部は、開放口部側から外に向かう電波の伝播を促すように機能し、開放口部側についてのアンテナの送受信特性を良好とする。
【００１７】
請求項２の発明は、請求項１記載の情報処理装置において、上記通信ユニットが上記表示部のうち上記表示面とは反対側の面側に設けた構成としたものである。
【００１８】
通信ユニットが設けられる場所が表示部のうち上記表示面とは反対側の面側にあるため、表示部を開いた状態で通信ユニットが情報処理装置のうち高い場所となると共に、表示部を閉じた状態でも通信ユニットは情報処理装置のうち高い場所となる。これにより、アンテナの電波の送受信特性が優れたものとなる。
【００１９】
請求項３の発明は、請求項１記載の情報処理装置において、上記通信ユニットが、上記表示部のうち上記表示面とは反対側の面側であって、且つ、上記表示部のうち上記回動軸線に沿う方向上の中央の位置に実装してある構成としたものである。
【００２０】
通信ユニットが設けられる場所が表示部のうち回動軸線に沿う方向上の中央の位置であるため、表示部が、アンテナから発信されて表示部のうち回動軸線に沿う方向上、一方の方向（右方向）に向かう電波に及ぼす影響の度合いと、反対側の方向（左方向）に向かう電波に及ぼす影響の度合いとが同じくなる。よって、アンテナの電波の送受信特性が情報処理装置の左右方向上等しくなる。
【００２１】
請求項４の発明は、請求項１記載の情報処理装置において、上記通信ユニットは、アンテナが、上記切欠部のうち上記開放口部に対応する配置で設けてある構成としたものである。
【００２２】
アンテナの送受信特性が金属製のカバーの存在によって損なわれる程度が最少となる。
【００２３】
請求項５の発明は、請求項１記載の情報処理装置において、上記金属製のカバーに取り付けられ、上記通信ユニットを覆う合成樹脂製のカバーを有する構成としたものである。
【００２４】
合成樹脂製のカバーは、通信ユニットを覆ってこれを保護する。
【発明の実施の形態】
【００２５】
［第１実施例］
図３（Ａ）、（Ｂ）は本発明の第１実施例になる無線通信機能を備えた携帯型のパソコン３０を示す。図４はパソコン３０の構成を示すブロック図である。パソコン３０は、本体部３１と、本体部３１に対して軸支部３２ａ，３２ｂによって開閉可能に支持されている液晶表示部３３とを有する。３４は軸支部３２ａ，３２ｂを通る回動軸線であり、Ｘ１−Ｘ２方向に延在している。
【００２６】
本体部３１は、機械的強度を確保するためにマグネシウムダイキャスト製の筐体３５の上面にキーボード３６を有し、内部に、回路基板組立体４０が組み込まれている構成である。回路基板組立体４０は、図４に示すマイクロプロセッサ３７、メモリ３８、データインターフェイス３９等を有する構成である。
【００２７】
液晶表示部３３は、図５に併せて示すように、液晶パネル５０が機械的強度を確保するためのマグネシウムダイキャスト製の板状のハーフカバー５１の面５１ａに搭載され、ハーフカバー５１に固定された合成樹脂製の枠部材５２によって周囲を押さえられた構成であり、且つ、通信ユニット５９が上記のハーフカバー５１上に組み込まれて合成樹脂製のカバー部材５３によって覆われている構成である。５０ａは液晶パネル５０の表示面である。
【００２８】
液晶表示部３３は、本体部３１に対して回動軸線３４を中心に回動され、図３（Ａ）に示す本体部３１上に倒されて閉じた状態と、図３（Ｂ）に示す起こされて開いた状態とをとり、閉じた状態では表示面５０ａは本体部３１の上面に対向して隠されて、開いた状態では露出する。
【００２９】
通信ユニット５９は、ハーフカバー５１のうち上記の面５１ａとは反対側の面５１ｂ側、即ち、液晶パネル５０とは反対側の面５１ｂ上であって、且つ、Ｘ１−Ｘ２方向上の中央であって、軸支用凸部５１ｃ１，５１ｃ２が形成してある辺５１ｄとは反対側の辺５１ｅに臨む箇所に組み込まれている。面５１ｂは、図３（Ａ）に示すように液晶表示部３３を閉じた状態で、パソコン３０の上面となる面であり、図３（Ｂ）に示すように液晶表示部３３を開いた状態で、パソコン３０の背面となる面である。
【００３０】
なお、ハーフカバー５１は、強度を増すために周囲に沿って面５１ａ側に立ち上がったリブ５１ｆを有する。リブ５１ｆ１は、辺５１ｅに沿うリブである。
【００３１】
通信ユニット５９の組み込みのために、ハーフカバー５１は、凹部５１ｇ、切欠部５１ｈ、開放口部５１ｉ、及び開口５１ｊを有する。
【００３２】
凹部５１ｇは、面５１ｂのうち、Ｘ１−Ｘ２方向上の中央であって辺５１ｅに臨む箇所に形成してあり、略半円状であり、浅い。凹部５１ｇは、通信ユニット５９を組み込むことに伴なう面５１ｂからの突き出し寸法を出来るだけ小さくするために形成してある。
【００３３】
切欠部５１ｈは、凹部５１ｇに形成してあり、後述する通信ユニット５９の多層アンテナ及び補助アンテナの位置及び形状に対応した形状を有する。切欠部５１ｈは、辺５１ｅまで延びており、リブ５１ｆ１の一部が切り除かれて、開放口部５１ｉが形成されている。切欠部５１ｈ及び開放口部５１ｉは、アンテナの受信特性及び送信特性を損なわないようにするために形成してある。
【００３４】
開口５１ｊは、凹部５１ｇに形成してあり、後述する電線を通すためのものである。
【００３５】
次に、通信ユニット５９について説明する。
【００３６】
図６、図７、図８に示すように、台形に近い形状のプリント基板６０と、多層アンテナ６１と、通信モジュール７０と、アンテナ接続ケーブル６２と、コネクタ６３と、スイッチ６４とを有する構成である。
【００３７】
プリント基板６０は、図９に示すように、台形に近い形状を有し、下面６０ｂに略四角形状の銅膜によって形成された補助アンテナ６５を有する。補助アンテナ６５は、図９にハッチングを付して示すように、プリント基板６０の辺６０ｃからＹ１方向に拡がっている。多層アンテナ６１は村田製作所製の基本の多層アンテナにスリットを入れてチューニングしたものであり、四角柱形状を有しており、プリント基板６０の上面６０ａうち辺６０ｃの極く近くの位置に、その長手方向をＸ１−Ｘ２方向に一致させた向きで実装してあり、補助アンテナ６５と電気的に接続してある。多層アンテナ６１と補助アンテナ６５とが、アンテナ６６を構成する。アンテナ６６と関連して、プリント基板６０の上面には、補助アンテナ６５と電気的に接続された雌コネクタ６７が設けてある。
【００３８】
また、プリント基板６０の上面には、コネクタ６３、スイッチ６４、コネクタ６８が実装してある。６９は通信モジュール搭載領域であり、プリント基板６０の上面の中央に位置している。コネクタ６３は、通信モジュール搭載部分６９に実装してある。雌コネクタ６７は、通信モジュール搭載部分６９の傍に位置している。コネクタ６８は、プリント基板６０のうちＹ１側に実装してある。コネクタ６３とコネクタ６８とは、プリント基板６０の配線パターンによって接続してある。
【００３９】
通信モジュール７０は、図６に示すように、基板７１の下面に、通信モジュール本体７２とコネクタ７３が実装されている構成である。通信モジュール７０は、機能的には、図４に示すように、受信系を構成するレシーバ８０及びデコーダ８１と、送信系を構成するエンコーダ８２及びトランスミッタ８３と、レシーバ８０及びトランスミッタ８３がアンテナ６６を共有するためのデュープレクサ８４と、データインターフェイス８５とを有する構成である。通信モジュール本体７２及びコネクタ７３は共に偏平な形状である。基板７１上には、雌コネクタ７４が設けてある。雌コネクタ７４は通信モジュール本体７２中のデュープレクサ８４と電気的に接続してある。
【００４０】
アンテナ接続ケーブル６２は、電線が絶縁体で被覆された構成であり、長さＬ２は、約３ｃｍ程度と短い。アンテナ接続ケーブル６２はその両端に、ピン形状の雄コネクタ６２ａ，６２ｂを有する。
【００４１】
ここで、通信モジュール７０のプリント基板６０上への取り付け構造について説明する。
【００４２】
プリント基板６０上には、通信モジュール搭載領域６９のＸ１、Ｘ２側に、取り付け用金具９０，９１がＹ１端をねじ止めしてあり、Ｙ１−Ｙ２方向に延在している。取り付け用金具９０，９１は、先端の下方に折れ曲がっている脚部９０ａ，９１ａがプリント基板６０の上面に当っており、先端近くのねじ孔９０ｂ，９１ｂはプリント基板６０の上面から浮いている。通信モジュール７０は、フェイスダウンの姿勢で、コネクタ７３をコネクタ６３と接続させて、通信モジュール搭載領域６９に置かれている。通信モジュール本体７２の下面とプリント基板６０の上面との間には、絶縁シート９２が介在している。固定金具９３は通信モジュール７０を横切っており、その両端がねじ孔９０ｂ，９１ｂにねじ締められたねじ９４、９５によって取り付け用金具９０，９１に固定してある。よって、通信モジュール７０は、固定金具９３及び取り付け用金具９０，９１によって、プリント基板６０上に固定してある。アンテナ接続ケーブル６２は、取り付け用金具９１とプリント基板６０との間の隙間を利用して配線してあり、一端の雄コネクタ６２ａがプリント基板６０上の雌コネクタ６７に差し込まれて接続してあり、他端の雄コネクタ６２ｂが通信モジュール７０上の雌コネクタ７４に差し込まれて接続してある。雄コネクタ６２ｂは、固定金具９３によって押さえられている。
【００４３】
上記構成の通信ユニット５９は、図８に示すように、最大の厚さＴが、プリント基板６０の厚さと、通信モジュール７０の厚さと、固定金具９３の厚さとを合計した厚さであり、薄型である。
【００４４】
上記構成の通信ユニット５９は、プリント基板６０をねじ９６によって固定されて、ハーフカバー５１の凹部５１ｇ内に取り付けてある。合成樹脂製のカバー部材５３が、ハーフカバー５１に係止されて取り付けてあり、通信ユニット５９を覆っている。
【００４５】
ここで、凹部５１ｇがハーフカバー５１の面５１ｂから少しへこんでおり、且つ、通信ユニット５９の最大の厚さＴが薄いため、カバー部材５３がハーフカバー５１の面５１ｂから突き出ている寸法Ｂ（図８参照）は、４．５ｍｍ程度と短い。よって、通信ユニット５９は、ハーフカバー５１の面５１ｂからの突き出し寸法を短く抑えられて組み込まれている。
【００４６】
また、図９に併せて示すように、多層アンテナ６１及び補助アンテナ６２は切欠部５１ｈに対応して位置しており、多層アンテナ６１は切欠部５１ｈのうちでも開放口部５１ｉの近くに位置している。開放口部５１ｉは開放口部５１ｉ側から外に向かう電波の伝播を促すように機能し、開放口部５１ｉ側についてのアンテナの送受信特性が良好となる。
【００４７】
また、カバー部材５３上には、ノブ１１０が設けてある。ノブ１１０は上記のスイッチ６４と係合してあり、ノブ１１０を操作することによってスイッチ６４が開閉される。スイッチ６４は通信モジュール７０を動作状態又は停止状態とする。プリント基板６０上には、通信モジュール７０が動作状態であるときに点灯するＬＥＤ１１１が実装してある。カバー部材５３には、ＬＥＤ１１１に対応する箇所に半透明の窓１１２が形成してある。
【００４８】
次に、通信ユニット５９と本体部３１との関係について説明する。
【００４９】
図５中、１００はケーブル部材であり、複数本のケーブル１０１よりなり、複数本のケーブル１０１を並べてフラットケーブル状としてあるフラットケーブル部１０２と、複数本のケーブル１０１が束ねてあるケーブル束部１０３とよりなる。フラットケーブル部１０２の端にコネクタ１０４を有し、ケーブル束部１０３の端にコネクタ１０５を有する。コネクタ１０４がコネクタ６８と接続してある。フラットケーブル部１０２は、開口５１ｊを通ってハーフカバー５１の面５１ａ側に出て、面５１ａ上をＹ１方向に延在して、ハーフカバー５１を横切って辺５１ｄにまで到っている。フラットケーブル部１０２は薄く、ハーフカバー５１と液晶パネル５０との間の隙間に収まっている。フラットケーブル部１０２に続いて、ケーブル束部１０３が辺５１ｄに沿ってＸ１方向に延在しており、軸支用凸部５１ｃ１を通り、軸支部３２ａ内を通って本体部３１の筐体３５内に入っている。コネクタ１０５が筐体３５内部のコネクタ（図示せず）と接続してあり、データインターフェイス３９と電気的に接続してある。
【００５０】
次に、上記携帯型のパソコン３０と電話機及び周辺機器等との間での近距離無線通信について説明する。
【００５１】
電話機及び周辺機器等にも通信ユニットが組み込まれている。
【００５２】
パソコン３０のアンテナ６５から電波が発せられ、電話機及び周辺機器等がこの電波を受信する。また、電話機及び周辺機器等から電波が発せられ、パソコン３０のアンテナ６５がこの電波を受信する。図３（Ａ）、（Ｂ）において、アンテナ６５から放射された電波を模式的に実線の矢印で示し、電話機及び周辺機器等から発せられてアンテナ６５に向かう電波を模式的に破線の矢印で示す。
【００５３】
電波の発信は、本体部３１のマイクロプロセッサ３７からの信号がケーブル部材１００を通って通信モジュール７０に送られ、通信モジュール７０で処理された信号がアンテナ接続ケーブル６２を通ってアンテナ６５に伝播されることによって行われる。
【００５４】
電波の受信は、上記とは逆に、アンテナ６５が電波を受信することによって発生した電流がアンテナ接続ケーブル６２を通って通信モジュール７０に送られ、通信モジュール７０で処理された信号がケーブル部材１００を通って本体部３１のマイクロプロセッサ３７に送られて行われる。
【００５５】
ケーブル部材１００を流れる信号は低周波数の信号であり、ケーブル部材１００の長さが長くても、信号の損失は少ない。これに対して、アンテナ接続ケーブル６２を流れる信号は高周波数の信号であり、ケーブル損失を受け易い。
【００５６】
（１）図３（Ｂ）に示す液晶表示部３３が開かれた状態では、アンテナ６５は、本体部３１が置かれているテーブル面２００より寸法ｈ１高い位置Ｈ１に位置している。また、図３（Ａ）に示す液晶表示部３３が閉じられた状態では、アンテナ６５は、パソコン３０の上面に位置しており、テーブル面２００より寸法ｈ２高い位置Ｈ２に位置している。即ち、アンテナ６５は、そのときのパソコン３０において、一番に高い場所に位置、即ち、電波を周囲に伝播し易く、且つ、電波を受信し易い場所、換言すれば、パソコン３０のうち電波特性の効率が最大の位置に設けてある。
【００５７】
よって、アンテナ６５から発信された電波は、パソコン３０の周囲に良好に伝播され、アンテナ６５は、パソコン３０の周囲からの電波を良好に受信する。
【００５８】
（２）アンテナ６５の位置は、パソコン３０の幅方向上、中央である。
【００５９】
よって、アンテナ６５からのＸ１方向への電波２１３（２０３）の伝播状態と、Ｘ２方向への電波２１４（２０２）の伝播状態とは等しくなる。また、アンテナ６５はＸ１方向からの電波３１３（３０３）と、Ｘ２方向からの電波３１４（３０２）とを等しく受信する。
【００６０】
（３）ハーフカバー５１のうち、多層アンテナ６１及び補助アンテナ６５に対応する部分は切欠部５１ｈとなっている。
【００６１】
よって、図３（Ｂ）に示すように液晶表示部３３が開かれた状態で、アンテナ６５からのＹ１方向への電波２１１の伝播状態と、Ｙ２方向への電波２１２の伝播状態とは等しくなる。また、アンテナ６５は、Ｙ１方向から来る電波３１１及びＹ２方向から来る電波３１２を等しく受信する。
【００６２】
（４）切欠部５１ｈは開放口部５１ｉを有し、多層アンテナ６１は開放口部５１ｉの箇所に位置している。
【００６３】
よって、図３（Ｂ）に示す液晶表示部３３が開かれた状態で、多層アンテナ６１からＺ１方向への電波２１０の伝播が良好に行われる。また、多層アンテナ６１は、Ｚ１方向から来る電波３１０を良好に受信する。
【００６４】
図３（Ａ）に示す液晶表示部３３が閉じられた状態で、多層アンテナ６１からＹ２方向への電波２０１の伝播が良好に行われる。また、多層アンテナ６１は、Ｙ２方向から来る電波３０１を良好に受信する。
【００６５】
（５）アンテナ６５と通信モジュール７０とは同じプリント基板６０上に設けてあり、アンテナ６５と通信モジュール７０をつなぐアンテナ接続ケーブル６２の長さは約３ｃｍ程度と短い。
【００６６】
よって、高周波信号がアンテナ接続ケーブル６２を伝送される間に受ける損失は少ない。
【００６７】
上記の（１）〜（５）の構成によって、パソコン３０の周囲には良好な無線通信環境が形成される。よって、電話機及び周辺機器等は、パソコン１０を中心とした比較的長い半径のドーム形状の空間内に配置すればよく、オフィス及び家庭内で電話機及び周辺機器等のパソコン１０に対する配置についての制約は無くなり、電話機及び周辺機器等がどの位置に配置されていても、パソコン１０と電話機及び周辺機器等との間でブルートゥースによる短距離無線伝送が行われる。
【００６８】
また、パソコン１０と電話機及び周辺機器等との間でブルートゥースによる短距離無線伝送が行われている間は、ＬＥＤ１１１が点灯する。よって、パソコン１０の操作者は、カバー部材５３の半透明の窓１１２を見て、このことが視覚で認識可能である。
【００６９】
また、パソコン１０をブルートゥースによる無線通信が禁止される場所に持ち込んだときには、ノブ１１０を操作してスイッチ６４をオフとする。これによって、通信ユニット５９が動作しない状態となる。
【００７０】
また、通信ユニット５９を単位として交換が可能である。アンテナと通信モジュールとが別体である構成に比べて、交換作業が簡単である。
【００７１】
［第２実施例］
図１０は本発明の第２実施例になる無線通信機能を備えたデスクトップ型のパソコン４００を示す。パソコン４００は情報処理を行うコントロール部を有する本体部４０１と情報を表示する表示部４０２とが一体化されている構成であり、通信ユニット５９がパソコン４００の頂上部４０３に設けてある。４０２ａは表示面である。
【００７２】
［第３実施例］
図１１は本発明の第３実施例になる無線通信機能を備えたＣＲＴ表示装置４１０を示す。ＣＲＴ表示装置４１０は、ＣＲＴ表示面４１１を有し、通信ユニット５９がＣＲＴ表示装置４１０の頂上部４１２に設けてある。通信ユニット５９からはケーブル１００Ａが延びており、このケーブル１００Ａの端は、ＣＲＴ表示装置４１０に設けてあるコネクタ４１３に接続してある。このコネクタ４１３に、パソコンから延びているコネクタケーブルの端のコネクタが接続される。
【００７３】
［第４実施例］
図１２は本発明の第４実施例になる無線通信機能を備えた液晶表示装置４２０を示す。液晶表示装置４２０は、液晶表示面４２１を有し、通信ユニット５９が液晶表示装置４２０の頂上部４２２に設けてある。通信ユニット５９からはケーブル１００Ａが延びており、このケーブル１００Ａの端は、液晶表示装置４１０に設けてあるコネクタ４２３に接続してある。このコネクタ４２３に、パソコンから延びているコネクタケーブルの端のコネクタが接続される。
【００７４】
上記第２乃至第４実施例において、通信ユニット５９は、図３（Ａ）、（Ｂ）に示すパソコン３０に組み込んである通信ユニット５９の場合と同様に動作する。
【００７５】
図１３は別の液晶表示部３３Ａを示す。この液晶表示部３３Ａは図５に示す液晶表示部３３とは、ハーフカバー５１Ａのみが相違する。ハーフカバー５１Ａは合成樹脂製であり、表面と裏面とにシールドのためのアルミニウムメッキが、図５中、切欠部５１ｈに対応する部分を除いて施してある。ハッチングで示す部分がアルミニウムメッキ膜５１Ａｓである。５１Ａｑは非メッキ部分であり、表面と裏面との同じ場所に有り、合成樹脂が露出している。この非メッキ部分５１Ａｑに多層アンテナ６１と補助アンテナ６５とが対向する。５１Ａｊはフラットケーブル部１０２を通すための開口である。
【発明の効果】
【００７６】
以上説明したように、請求項１の発明は、本体部と、該本体部に対して回動可能に支持されている表示部とを有する情報処理装置において、電波を送受信するアンテナと該アンテナと電気的に接続してあり信号の処理を行う通信モジュールとを含む通信ユニットを、上記表示部に設けた構成としたものであるため、表示部を開いた状態では、通信ユニットは情報処理装置のうち高い場所となり、これにより、アンテナの電波の送受信特性が良好となって、優れた通信環境を実現することが出来る。また、通信ユニットはアンテナと通信モジュールとが一体の構造であるため、アンテナと通信モジュールとの間をつなぐケーブルの長さが短くて足り、高周波信号の伝送中の損失が抑えられ、通信の信頼性を向上させることが出来る。
【００７７】
また、請求項１の発明は、上記表示部は、上記表示面とは反対側に金属製のカバーを有し、該カバーは、切欠部を有し、該切欠部は、該カバーのうち該回動軸線とは反対側の辺にまで到っており、該辺の部分に開放口部を有する形状を有し、上記通信ユニットは、上記アンテナが上記切欠部に対応する配置で設けてある構成としたものであるため、機械的強度が高めている状態で、アンテナの送受信特性が損なわれることを防止することが出来る。特に、開放口部は、開放口部側から外に向かう電波の伝播を促すように機能し、開放口部側についてのアンテナの送受信特性を良好とすることが出来る。
【００７８】
請求項２の発明は、請求項１記載の情報処理装置において、通信ユニットが表示部のうち表示面とは反対側の面側に設けた構成としたものであるため、表示部を開いた状態で通信ユニットが情報処理装置のうち高い場所となると共に、表示部を閉じた状態でも通信ユニットは情報処理装置のうち高い場所となり、表示部を開いた状態では勿論、表示部を閉じた状態でも、アンテナの電波の送受信特性が優れたものとなり、優れた通信環境を実現することが出来る。
【００７９】
請求項３の発明は、請求項１記載の情報処理装置において、上記通信ユニットが、上記表示部のうち上記表示面とは反対側の面側であって、且つ、上記表示部のうち上記回動軸線に沿う方向上の中央の位置に実装してある構成としたものであるため、表示部が、アンテナから発信されて表示部のうち回動軸線に沿う方向上、一方の方向に向かう電波に及ぼす影響の度合いと、反対側の方向に向かう電波に及ぼす影響の度合いとが同じくなる。よって、アンテナの電波の送受信特性が情報処理装置の左右方向上等しくなるように出来る。
【００８０】
請求項４の発明は、請求項１記載の情報処理装置において、上記通信ユニットは、アンテナが、上記切欠部のうち上記開放口部に対応する配置で設けてある構成としたものであるため、アンテナの送受信特性が金属製のカバーの存在によって損なわれる程度を最少に出来る。
【００８１】
請求項５の発明は、請求項１記載の情報処理装置において、上記金属製のカバーに取り付けられ、上記通信ユニットを覆う合成樹脂製のカバーを有する構成としたものであるため、通信ユニットを保護して且つアンテナの送受信特性が低下しないように出来る。
【図面の簡単な説明】
【００８２】
【図１】  従来の第１の例のパソコンを示す図である。
【図２】  従来の第２の例のパソコンを示す図である。
【図３】  本発明の第１実施例の携帯型パソコンを示す図である。
【図４】  図３（Ａ），（Ｂ）のパソコンの構成を示すブロック図である。
【図５】  液晶表示部を分解して示す図である。
【図６】  通信ユニット及びこれを組み込んでいる部分を分解して示す斜視図である。
【図７】  通信ユニットが組み込まれている状態を、カバー部材を取り外した状態で示す図である。
【図８】  図３（Ａ）中、VIII-VIII線に沿う断面矢視図である。
【図９】  アンテナと切欠部及び開放口部との位置関係を示す図である。
【図１０】  本発明の第２実施例になるデスクトップ型のパソコンを示す図である。
【図１１】  本発明の第３実施例になるＣＲＴ表示装置を示す図である。
【図１２】  本発明の第４実施例になる液晶表示装置を示す図である。
【図１３】  別の液晶表示部を分解して示す図である。
【符号の説明】
【００８３】
３０、４００  パソコン
３１，４０１  本体部
３２ａ，３２ｂ  軸支部
３３  液晶表示部
３４  回動軸線
３６  キーボード
３７  マイクロプロセッサ
３８  メモリ
４０  回路基板組立体
５０  液晶パネル
５０ａ  表示面
５１  マグネシウムダイキャスト製のハーフカバー
５１ｂ  液晶パネルとは反対側の面
５１ｇ  凹部
５１ｈ  切欠部
５１ｉ  開放口部
５１ｊ  開口
５２  枠部材
５３  合成樹脂製のカバー部材
５９  通信ユニット
６０  プリント基板
６１  多層アンテナ
６２  アンテナ接続ケーブル
６２ａ，６２ｂ  ピン形状の雄コネクタ
６４  スイッチ
６５  補助アンテナ
６７、７４  雌コネクタ
７０  通信モジュール
７２  通信モジュール本体
８０  レシーバ
８１  デコーダ
８２  エンコーダ
８３  トランスミッタ
８４  デュープレクサ
８５  データインターフェイス
１００  ケーブル部材
１０２  フラットケーブル部
４１０  ＣＲＴ表示装置
４２０  液晶表示装置
【図１】
0004197581.tif 000002
【図２】
0004197581.tif 000003
【図３】
0004197581.tif 000004
【図４】
0004197581.tif 000005
【図５】
0004197581.tif 000006
【図６】
0004197581.tif 000007
【図７】
0004197581.tif 000008
【図８】
0004197581.tif 000009
【図９】
0004197581.tif 000010
【図１０】
0004197581.tif 000011
【図１１】
0004197581.tif 000012
【図１２】
0004197581.tif 000013
【図１３】
0004197581.tif 000014